(57)【要約】      （修正有）【課題】液晶装置等の電気光学装置における基板サイズを縮小する。【解決手段】所定間隔で相対向すると共に平面的に見て少なくとも一辺において一方の基板が他方の基板より延在している一対の基板を備える。一対の基板における相対向する面の周縁はシール材によって貼り合わせられ、一対の基板間に内部空間が規定される。内部空間には電気光学物質が収容される。シール材は、前記一辺における所定個所に、内部空間に通じた開口を規定するように設けられ、開口は封止部材に封止される。一方の基板には、表示用電極を駆動する回路部が設けられ、一方の基板のうち前記一辺において延在する延在部における他方の基板と対向する側の面には、回路部の一部と電気的に接続された複数の外部接続端子が設けられている。外部接続端子は、封止部材と延在部の外縁との間で封止部材の配置領域を延在部の延在方向に延長させた領域以外の領域に設けられる。【選択図】図１
2006133271.tif 000002
【特許請求の範囲】
【請求項１】
所定間隔で相対向すると共に平面的に見て少なくとも一辺において一方の基板が他方の基板より延在している一対の基板と、
該一対の基板間に内部空間を形成するように且つ前記一辺における所定個所に前記内部空間に通じた開口を規定するように、前記一対の基板における相対向する面の周縁を貼り合わせるシール材と、
前記開口を封止する封止部材と、
前記内部空間に収容された電気光学物質と、
前記内部空間に面して配置されるように前記一方の基板に設けられた表示用電極と、
前記表示用電極を駆動するために前記一方の基板に設けられた回路部と、
前記回路部の一部と電気的に接続され、前記一方の基板のうち前記一辺において延在する延在部の前記他方の基板と対向する側の面における、前記封止部材と前記延在部の外縁との間で前記封止部材の配置領域を前記延在部の延在方向に延長させた領域以外の領域に設けられた複数の外部接続端子と
を備えたことを特徴とする電気光学装置。
【請求項２】
前記開口及び前記封止部材は、前記一辺の端部に設けられており、前記複数の外部接続端子は、前記一辺の中央部に設けられていることを特徴とする請求項１に記載の電気光学装置。
【請求項３】
前記開口及び前記封止部材は、前記一辺の中央部に設けられており、前記複数の外部接続端子は、前記一辺の端部に設けられていることを特徴とする請求項１に記載の電気光学装置。
【請求項４】
前記複数の外部接続端子は、前記一辺の両端に夫々設けられる第１及び第２端子群からなり、前記第１及び第２端子群の夫々は、相異なる配線基板の端部と電気的に接続されていることを特徴とする請求項３に記載の電気光学装置。
【請求項５】
前記複数の外部接続端子は、前記一辺の両端に夫々設けられる第１及び第２端子群からなり、前記第１及び第２端子群は、一端が二股に分岐してなる２つの端部を有する配線基板における該２つの端部と夫々電気的に接続されていることを特徴とする請求項３に記載の電気光学装置。
【請求項６】
前記回路部は、一部において前記複数の外部接続端子のうち画像信号を供給する端子と電気的に接続されると共に、少なくとも他部が前記一方の基板における前記他方の基板に対向する領域に設けられた、前記画像信号の供給を受けて駆動される駆動回路を含むことを特徴とする請求項１から５のいずれか一項に記載の電気光学装置。
【請求項７】
前記駆動回路は、少なくとも部分的に前記一方の基板における前記シール材が配置された領域に設けられていることを特徴とする請求項６に記載の電気光学装置。
【請求項８】
前記駆動回路は、少なくとも部分的に前記一方の基板における前記内部空間に面する領域に設けられていることを特徴とする請求項６又は７に記載の電気光学装置。
【請求項９】
請求項１から８のいずれか一項に記載の電気光学装置を具備することを特徴とする電子機器。
【発明の詳細な説明】
【技術分野】
【０００１】
本発明は、例えば液晶装置等の電気光学装置、及び、該電気光学装置を備えた、例えば液晶プロジェクタ等の電子機器の技術分野に関する。
【背景技術】
【０００２】
この種の電気光学装置では、表示用電極及びこれを駆動するための回路部が設けられた基板と対向基板とが、液晶等の電気光学物質を挟んで対向配置されている。具体的には、これらの基板を所定間隔で対向させ、その対向面の周縁をシール材で貼り合わせることで形成された内部空間に、電気光学物質が封入されている。
【０００３】
表示用電極が設けられた方の基板は、平面的に見て一辺において対向基板より延在しており、この延在する部分（以下、延在部という）に、外部接続端子が設けられている。外部接続端子は、回路部等に対する信号や電源を外部入力するために、表面が外に露出している必要がある。その他、画像信号供給用の外部接続端子と接続される駆動回路もまた、通常はこの延在部に設けられるとされている。
【０００４】
これに対し、例えば特許文献１に記載されているように、駆動回路を内部空間に配置し、延在部には外部接続端子しか設けない装置構成を採れば、延在部の幅が短縮され、基板サイズの縮小を図ることができる。
【０００５】
【特許文献１】特開平９−１１３９０６号公報
【発明の開示】
【発明が解決しようとする課題】
【０００６】
しかしながら、実際の電気光学装置は、空間部の開口から電気光学物質を封入した後、この開口を封止部材で封止することで製造され、封止部材は平面的に見て延在部にも張り出している。この封止部材の存在により、仮に延在部に外部接続端子しか設けない場合であっても延在部の幅を縮小するのには一定の限界がある。
【０００７】
本発明は上記問題点に鑑みてなされたものであり、基板サイズの縮小が可能な電気光学装置、及び、そのような電気光学装置を具備してなる電子機器を提供することを課題とする。
【課題を解決するための手段】
【０００８】
本発明の電気光学装置は、上記課題を解決するために、所定間隔で相対向すると共に平面的に見て少なくとも一辺において一方の基板が他方の基板より延在している一対の基板と、該一対の基板間に内部空間を形成するように且つ前記一辺における所定個所に前記内部空間に通じた開口を規定するように、前記一対の基板における相対向する面の周縁を貼り合わせるシール材と、前記開口を封止する封止部材と、前記内部空間に収容された電気光学物質と、前記内部空間に面して配置されるように前記一方の基板に設けられた表示用電極と、前記表示用電極を駆動するために前記一方の基板に設けられた回路部と、前記回路部の一部と電気的に接続され、前記一方の基板のうち前記一辺において延在する延在部における前記他方の基板と対向する側の面における、前記封止部材と前記延在部の外縁との間で前記封止部材の配置領域を前記延在部の延在方向に延長させた領域以外の領域に設けられた複数の外部接続端子とを備える。
【０００９】
本発明の電気光学装置によれば、少なくとも一辺において一方の基板が他方の基板より延在している一対の基板を所定間隔で相対向させ、両基板の相対向する面の周縁をシール材で封止することで内部空間が構成されている。内部空間には、液晶等の電気光学物質が封入される。そのため、シール材は、上記一辺における所定個所に内部空間に通じた開口を規定するように配置され、開口は、電気光学物質を内部空間に注入後、封止部材により封止される。ここで、封止部材は特に限定されず、例えばモールドや嵌め込み等の各種の封止方法のいずれかに対して適用される部材であってよい。
【００１０】
一対の基板のうち、他方より延在する基板には、例えば、走査線、データ線等の配線や薄膜トランジスタ（Thin Film Transistor：以下適宜“ＴＦＴ”と呼ぶ）等の電子素子、データ線駆動回路や走査線駆動回路等によって、表示用電極を駆動する回路部が構成されており、その上層側に表示用電極が形成されている。表示用電極は、電気光学物質を動作させるために、内部空間に面して配置される。
【００１１】
そして、この基板のうち、上記一辺において他方の基板より延在する延在部には、回路部の一部と電気的に接続される外部接続端子が設けられている。また、延在部の開口に面した部分には、封止部材の一部が張り出している。このように、外部接続端子や封止部材等の、内部空間外に設けられるべき構成要素を延在部にまとめて配置するようにすれば、内部空間に面していない領域を最小限に留め、基板サイズを縮小することができる。
【００１２】
延在部は、通常、上記一辺の中央に封止部材が配置され、封止部材の外縁側に外部接続端子が配置されるようにレイアウトされている。即ち、延在部の延在方向に、封止部材と外部接続端子とが並ぶように設けられる。これに対し、本発明における延在部では、外部接続端子が、封止部材と延在部の外縁との間で封止部材の配置領域を延在部の延在方向に延長させた領域以外の領域に設けられている。言い換えると、これら複数の外部接続端子と封止部材とは、上記一辺が延びる方向（即ち、延在部の延在方向と交差する方向）において相異なる領域に配置され、延在部の延在方向には並ぶことがない。
【００１３】
このようにレイアウトを工夫することで、延在部の延在方向における幅を短縮することができる。従って、基板サイズの縮小により、電気光学装置の省スペース化が実現可能である。また特に、基板サイズの縮小により、ウェハ一枚当たりから製造される電気光学装置の個数を増やすことができ、製造コストの低減、及び製造効率の向上に対して多大な効果を発揮する。例えば、一枚についての縮小量が１ｍｍ程度の比較的少量であっても、これが数枚から数十枚分或いは数百枚分だけ、同一ウェハ上に配列されるのであれば、同一ウェハ上に一行或いは複数行分だけ余計に電気光学装置を作り込める場合もあり得る。従って、実践上は顕著に有利となる。
【００１４】
或いは、本発明に係るレイアウトで外部接続端子を配置すれば、封止部材用のスペースを拡げることができる。よって、電気光学装置を小型化した場合に、相対的に封止部材用のスペースをある程度確保することができ、容易に製造可能な小型の電気光学装置を実現可能である。
【００１５】
本発明の電気光学装置の一態様では、前記開口及び前記封止部材は、前記一辺の端部に設けられており、前記複数の外部接続端子は、前記一辺の中央部に設けられている。
【００１６】
この態様によれば、電気光学装置のうち上記一辺の中央部にＦＰＣ（フレキシブルプリント回路：Flexible Printed Circuit）等の配線基板が接続されることになる。よって、この電気光学装置を収容する実装ケースは、配線基板の両脇のスペースに固定部材を設けることができる。即ち、電気光学装置は、実装ケースによって平面的に見て対称な固定点で固定することによって、所定の位置に、精度良く取り付けることができる。
【００１７】
尚、開口及び封止部材は、上記一辺の一端にのみ設けられても、両端の夫々に設けられてもよい。後者の場合、一辺の両端に設けられた開口から、液晶等の電気光学物質を空間部内に効率よく且つ均一に注入することも可能である。
【００１８】
或いは、前記開口及び前記封止部材は、前記一辺の中央部に設けられており、前記複数の外部接続端子は、前記一辺の端部に設けられている。
【００１９】
この態様によれば、上記一辺の中央に設けられた開口より、液晶等の電気光学物質を内部空間に均一に注入することができる。また、外部接続端子が上記一辺の両端に配置されている場合には、これらの外部接続端子に接続される引き出し配線（通常、回路部における一辺の両端側から引き出される）の配線長を短くすることが可能となる。
【００２０】
この態様では、前記複数の外部接続端子は、前記一辺の両端に夫々設けられる第１及び第２端子群からなり、前記第１及び第２端子群の夫々は、相異なる配線基板の端部と電気的に接続されていてもよい。
【００２１】
この場合、２つの端子群が、夫々独立した配線基板に接続されることで、例えば二股の配線基板と接続される場合と比べて、配線基板の長さを短くすることができ、信号遅延やノイズの影響を受け難くなる。
【００２２】
また、前記複数の外部接続端子は、前記一辺の両端に夫々設けられる第１及び第２端子群からなり、前記第１及び第２端子群は、一端が二股に分岐してなる２つの端部を有する配線基板における該２つの端部と夫々電気的に接続されていてもよい。
【００２３】
この場合には、２つの端子群が共に二股の配線基板に共通に接続されることで、部材点数を減らすことができ、コスト的に有利である。
【００２４】
本発明の電気光学装置の他の態様では、前記回路部は、一部において前記複数の外部接続端子のうち画像信号を供給する端子と電気的に接続されると共に、少なくとも他部が前記一方の基板における前記他方の基板に対向する領域に設けられた、前記画像信号の供給を受けて駆動される駆動回路を含む。
【００２５】
この態様によれば、外部接続端子から画像信号の供給を受けて駆動される駆動回路（所謂、データ線駆動回路）の全部又は一部は、延在する基板における他方の基板に対向する領域に設けられている。
【００２６】
データ線駆動回路は一般に、上記一辺に沿って延在するように設けられ、画像信号入力のために、両端において多数の外部接続端子と配線を介して接続される。よって、周辺に多数の配線を引き回すスペースが必要とされることなどから、駆動回路は、外部接続端子と共に、空間的制約の少ない延在部に設けられることが多い。但し、その場合は、延在部の幅が、駆動回路のサイズ形状等に応じて拡張されることになる。
【００２７】
これに対し、本態様では、データ線駆動回路のうち、少なくとも、画像信号供給用の外部接続端子と電気的に接続された部分以外の部分が延在部からはずれるようにしたので、その分だけ延在部の幅が短縮され、電気光学装置の一層の省スペース化又は小型化が可能となる。
【００２８】
この駆動回路を上記一方の基板における他方の基板に対向する領域に設ける態様では、前記駆動回路は、少なくとも部分的に前記一方の基板における前記シール材が配置された領域に設けられていてもよい。
【００２９】
この場合、駆動回路の全部又は一部が、一対の基板が対向した領域のうち、シール材が配置された領域内に設けられる。即ち、駆動回路のうちシール材と同一領域に設けられた部分は、上記一方の基板のうち内部空間に面した領域と延在部との間に存在する。その分だけ、基板から駆動回路用のスペースを省くことができ、延在部の幅をより短縮することが可能である。
【００３０】
或いは、前記駆動回路は、少なくとも部分的に前記一方の基板における前記内部空間に面する領域に設けられていてもよい。
【００３１】
この場合、回路部の一部又は前部が、内部空間に面する領域内に設けられる。シール材は本来、内部空間を規定するために必要とされ、省スペース化という観点からは、シール材が配置される領域は狭い方が好ましい。そこで、延在部がシール材の配置領域に収まりきれない場合や内部空間に面する領域に空きスペースを確保できる場合等に、駆動回路用のスペースを内部空間に面する領域までずらせば、延在部の幅を更に短縮することが可能である。
【００３２】
本発明の電子機器は上記課題を解決するために、上述した本発明の電気光学装置（但し、その各種態様を含む）を備える。
【００３３】
本発明の電子機器によれば、上述した本発明の電気光学装置を備えるので、省スペース化或いは小型化された、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現可能である。
【００３４】
本発明のこのような作用及び他の利得は、次に説明する実施の形態から明らかにされる。
【発明を実施するための最良の形態】
【００３５】
以下、本発明の実施形態を図面に基づいて説明する。
【００３６】
＜１：電気光学装置の実施形態＞
図１から図１０を参照して、本発明の電気光学装置に係る実施形態について説明する。尚、以下の実施形態は、本発明の電気光学装置を液晶装置に適用したものである。
【００３７】
＜１−１：第１実施形態＞
先ず、図１から図４を参照して、本発明の第１実施形態に係る液晶装置について説明する。図１は、本実施形態に係る液晶装置の構成を示す平面図であり、図２は、図１のＩ−Ｉ’線断面を示している。図３は、本実施形態に係る液晶装置の比較例を示している。図４は、本実施形態に係る液晶装置を収容した実装ケースの構成を示している。
【００３８】
図１及び図２において、液晶装置１００では、ＴＦＴアレイ基板１０に対向基板２０を所定間隔で対向させ、両基板の相対向する面の周縁をシール材５２ａで貼り合わせることによって、内部空間が形成されている。ＴＦＴアレイ基板１０には、平面的に見て対向基板２０より延在する延在部２０１が存在し、シール材５２ａは、この延在部２０１が延在する辺における所定箇所（ここでは、この辺の両端）に対して、内部空間に通じる開口を規定している。そして、開口から内部空間に注入された液晶によって液晶層５０が構成され、開口は、封止モールド材１５１ａ及び１５１ｂによって夫々、封止されている。シール材５２ａの内縁に沿って設けられた額縁遮光膜５３は、画像が表示される画像表示領域１０ａを規定している。
【００３９】
この液晶装置１００は駆動回路内蔵型であり、ＴＦＴアクティブマトリクス駆動方式が採用されている。よって、ＴＦＴアレイ基板１０の対向面（図２中、上面）のうち、画像表示領域１０ａには、画素スイッチング用ＴＦＴや走査線、データ線等の配線の上層に、本発明の「表示用電極」の一例たる画素電極９ａが設けられている。そして、画素電極９ａの直上に配向膜１６が形成されている。対向基板２０の対向面（図２中、下面）には、ストライプ状の遮光膜２３を介して対向電極２１が形成されており、その上層に配向膜２２が形成されている。また、対向基板２０の角部の少なくとも１箇所（ここでは４箇所全部）には、ＴＦＴアレイ基板１０との間を電気的に導通させる上下導通端子１０６が設けられている。液晶層５０の液晶の配向状態は、画素電極９ａと対向電極２１との間に印加される電界に応じて変化するが、電界が印加されていない状態では、配向膜１６及び配向膜２２によって規定される初期配向をとる。
【００４０】
ＴＦＴアレイ基板１０の対向面のうち、額縁遮光膜５３の形成領域には、走査線を駆動する走査線駆動回路１０４と配線１０５とが設けられている。図１において、走査線駆動回路１０４は、額縁遮光膜５３の左右の辺に一つずつ設けられ、配線１０５は、これら２つの走査線駆動回路１０４の相互間を接続すべく、額縁遮光膜５３の上辺に引き回されている。
【００４１】
ＴＦＴアレイ基板１０の延在部２０１には、本発明の「駆動回路」の一具体例として、データ線を駆動するデータ線駆動回路１０１ａが、図１において、シール材５２ａの下辺に沿って配置されている。但し、平面的に見て、データ線駆動回路１０１ａの上半分は、シール材５２ａと重なるように設けられている。また、その下半分には、両端に封止モールド材１５１ａ及び１５１ｂの開口からはみ出した部分が夫々重なっている。
【００４２】
尚、本実施形態においては、ＴＦＴ等の電子素子や走査線、データ線等の配線、走査線駆動回路１０４やデータ線駆動回路１０１ａを含んだＴＦＴアレイ基板１０上の回路全般が、本発明の「回路部」の具体例に対応している。また、延在部２０１には、データ線駆動回路１０１に加えて、複数のデータ線に画像信号を所定のタイミングで印加するサンプリング回路、複数のデータ線に所定電圧レベルのプリチャージ信号を画像信号に先行して各々供給するプリチャージ回路、製造途中や出荷時の液晶装置１００の品質、欠陥等を検査するための検査回路等が形成されていてもよい。
【００４３】
更に、本実施形態では、延在部２０１における封止モールド材１５１ａの外縁側の領域Ｒａと、封止モールド材１５１ｂの外縁側の領域Ｒｂとの間の領域Ｒｃに、多数の外部接続端子１０２ａが設けられている。ここで、領域Ｒａ及びＲｂが、本発明における「封止部材と延在部の外縁との間で封止部材の配置領域を延在部の延在方向に延長させた領域」の一具体例に対応している。尚、延在部２０１の「延在方向」は、図１に示した矢印Ｙの方向である。
【００４４】
これら外部接続端子１０２ａは、ＦＰＣ１１０を介して接続された外部回路から液晶装置１００内に、電源や信号を供給するために設けられており、液晶装置１００内では、配線１０３ａを介して走査線駆動回路１０４やデータ線駆動回路１０１ａ等の駆動回路と適宜に接続されている。液晶装置１００では、供給された信号に応じて画素電極９ａが駆動され、画像が表示される。ここでデータ線駆動回路１０１ａは、延在部２０１側の両端において、配線１０３ａを介して複数の外部接続端子１０２ａと接続されている。
【００４５】
図３に示したように、本実施形態の比較例に係る液晶装置においては、封止モールド材１５０が配置される領域Ｒａ’と外部接続端子１０２が配置される領域Ｒｃ’とは、延在部２００の延在方向において互いに重なり合っている。外部接続端子１０２は、ＦＰＣ１１０と接続されなければならないので、その上に封止モールド材１５０が重なるのを防ぐために、ある程度、封止モールド材１５０から離しておく必要がある。結果的に、延在部２００は所定の幅Ｌ0を有し、データ線駆動回路１０１全体を配置できるだけのスペースが生じる。
【００４６】
これに対し、本実施形態の液晶装置１００では、以上に説明したように、外部接続端子１０２ａと封止モールド材１５１ａ及び１５１ｂとが、延在部２０１の延在方向において相異なる領域に配置されているので、外部接続端子１０２ａは封止モールド材１５１ａ及び１５１ｂに対して間隔をとらずに済む。更に、図１において、データ線駆動回路１０１ａの上半分をシール材５２ａが配置される領域に設けることで、外部接続端子１０２ａの位置を上側に押し上げることができる。その結果、延在部２０１の幅Ｌ11は、比較例における延在部２００の幅Ｌ0よりも短縮できる。
【００４７】
従って、本実施形態における液晶装置１００は省スペース化が可能であり、これを適用する電子機器に高い設計自由度を与えることができる。また、ウェハ一枚当たりから製造される液晶装置の個数を増やすことができ、製造効率の向上及び製造コスト低減に対して大きな効果を発揮する。即ち、１つの液晶装置１００における延在部２０１の縮小幅は、たとえ僅かであっても、ウェハ上には通常、上記ＴＦＴアレイ基板１０に対応する領域が数百ないし数千単位で形成され、更にそのようなウェハが多数生産されることから、製造上、極めて有効である。
【００４８】
更に、ここでは、図１におけるシール材５２ａないし対向基板２０の下辺において、開口及び封止モールド材１５０ａ及び１５０ｂの夫々を両端部に配置し、外部接続端子１０２ａを中央部に配置するようにしたので、配線１０３ａは、中央部から左右に分かれて引き回しても左右で配線長をほぼ等しくすることができ、左右における信号遅延等の不具合が生じずに済む。また、開口が左右両端に規定されていることから、内部空間に液晶を効率よく且つ均一に注入することができる。
【００４９】
また、図４において、液晶装置１００を収容する実装ケース３００では、ＦＰＣ１１０が延在部２０１側の辺の中央に設けられた開口３０１から引き出されることから、その両端にねじ等の固定部材を配設する穴部３０２を形成することができる。即ち、本実施形態における液晶装置１００は、外部接続端子１０２ａが中央部に配置されることで、実装ケース３００により、平面的に見て対称な固定点で固定することができる。また、開口３０１が設けられた辺と対向する辺の両端にも穴部３０２を設ければ、実装ケースは、平面的に見て四辺形の頂点の位置で４点固定することができる。よって、上記の作用及び効果に加え、液晶装置１００を位置ずれなく安定して取り付けることが可能である。
【００５０】
＜１−２：変形例＞
次に、図５から図８を参照して、第１実施形態の変形例に係る液晶装置について説明する。図５ないし図８は夫々、第１実施形態の変形例に係る液晶装置の構成を表している。
【００５１】
＜１−２−１：第１変形例＞
上記液晶装置１００は、各種の変形が可能である。例えば、液晶装置１００では、図１におけるシール材５２ａないし対向基板２０の下辺に、開口及び封止モールド材１５０ａ及び１５０ｂの夫々を両端部に配置するようにしたが、いずれか一端側にのみ開口及び封止モールド材を設けるようにしてもよい。図５に示した第１変形例では、シール材５２ａａは対向基板２０の下辺における左端側の開口のみ規定するように配置されており、これを、封止モールド材１５０ａが封止している。この場合においても、延在部２０１ａの幅Ｌ12は、比較例のような通常の場合に比べて短縮できる。
【００５２】
＜１−２−２：第２変形例＞
また、液晶装置１００では、封止モールド材１５０ａ及び１５０ｂと外部接続端子１０２ａとは共に左右対称に配置されているが、図６に示した第２変形例では、対向基板２０の下辺における左側には、シール材５２ａｂが規定する開口及び封止モールド材１５２が配置され、右側には外部接続端子１０２ｂが配置されている。封止モールド材や外部接続端子は、このように対向基板２０の下辺に対して左右非対称に配置されている場合でも、延在部の延在方向において相異なる領域に配置されていることに変わりはなく、延在部２０１ｂの幅Ｌ13は、比較例のような通常の場合に比べて短縮できる。
【００５３】
＜１−２−３：第３変形例＞
また、液晶装置１００では、データ線駆動回路１０１ａはシール材５２ａが配置される領域と延在部２０１とに跨る領域に設けられているが、データ線駆動回路を更に上方にずらすことで、外部接続端子と封止モールド材との集積度を高め、延在部の幅をより狭めることができる。
【００５４】
図７に示した第３変形例では、データ線駆動回路１０１ｂは、ＴＦＴアレイ基板１０の内部空間に面する領域（即ち、シール材５２ａの内側の領域）からシール材５２ａが配置される領域、延在部２０１ｃにわたって設けられている。この場合、ＴＦＴアレイ基板１０上にデータ線駆動回路１０１ｂを配置するスペースを十分取りつつも、その延在部２０１ｃにおけるスペースは容易に縮小することができる。そのため、外部接続端子１０２ａａと封止モールド材１５１ａ及び１５１ｂとの集積度を高めれば、延在部２０１ｃの幅Ｌ14はより短縮され、製造コスト削減等に一層の効果を上げることができる。
【００５５】
＜１−２−４：第４変形例＞
或いは、図８に示した第４変形例では、データ線駆動回路１０１ｃが、シール材５２ａの内側の領域とシール材５２ａが配置される領域とにわたって設けられている。この場合、延在部２０１ｄからデータ線駆動回路１０１ｃが除かれているので、外部接続端子１０２ａｂと封止モールド材１５１ａ及び１５１ｂとの集積度を更に高めれば、延在部２０１ｄの幅Ｌ15は大幅に短縮される。よって、製造コスト削減等に対して一層の効果を上げることができる。
【００５６】
以上のような変形例においても、延在部の幅を短縮することで液晶装置の省スペース化が可能であり、製造効率の向上及び製造コスト低減に対して大きな効果が発揮される。尚、データ線駆動回路自体の大きさを縮小できる場合や、シール材５２ａの内側に十分スペースを空けることができる場合には、データ線駆動回路全体をシール材５２ａの内側に設けるようにしてもよい。
【００５７】
＜１−３：第２実施形態＞
次に、図９を参照して、第２実施形態に係る液晶装置について説明する。図９は、本実施形態に係る液晶装置の構成を示している。尚、本実施形態の液晶装置１００Ａは、延在部内のレイアウトが異なることを除けば、液晶装置１００と同様に構成されていることから、液晶装置１００と同様の構成要素については、同一の符号を付して、その説明を適宜省略する。
【００５８】
図９において、液晶装置１００Ａでは、シール材５２ｂは対向基板２０の下辺の中央部に１つの開口を規定するように配置されており、開口は封止モールド材１５３により封止されている。そして、延在部２０２における封止モールド材１５３に対する外縁側の領域Ｒ１の両脇の領域Ｒ２及びＲ３の夫々に、多数の外部接続端子１０２ｃ及び１０２ｄが設けられている。
【００５９】
このように本実施形態においても、封止モールド材１５３や外部接続端子１０２ｃ及び１０２ｄは、延在部２０２の延在方向において相異なる領域に配置されているので、延在部２０２の幅Ｌ21は、上記比較例のような通常の場合に比べて短縮できる。よって、このような構成でも液晶装置の省スペース化が可能であり、製造効率の向上及び製造コスト低減に対して大きな効果を発揮する。
【００６０】
また、外部接続端子を左右の領域Ｒ２及びＲ３に分けて配置するようにしたので、外部接続端子１０２ｃ及び１０２ｄに接続される引き出し用の配線１０３ｂの配線長が短縮される。外部接続端子１０２ｃ及び１０２ｄは左右対称に配置されているので、配線長の差も殆ど生じずに済む。
【００６１】
更に、ここでは、外部接続端子１０２ｃにはＦＰＣ１１１ａが、外部接続端子１０２ｄにはＦＰＣ１１１ｂが夫々接続されている。このように外部接続端子１０２ｃと外部接続端子１０２ｄとが、夫々独立したＦＰＣ１１１ａ及び１１１ｂに接続されることで、例えば二股のＦＰＣと接続される場合と比べて、ＦＰＣ側の配線長の増加を抑えることができ、信号遅延やノイズの影響を受け難くすることできる。
【００６２】
また、第２実施形態では、外部接続端子１０２ｃ及び１０２ｄに、互いに独立した２つのＦＰＣ１１１ａ及び１１１ｂを接続するようにしたが、それ以外にも、例えば図１０に示したように、二股に分かれたＦＰＣ１１２を用いてもよい。この場合には、外部接続端子１０２ｃ及び１０２ｄがＦＰＣ１１２に共通に接続されることで、部材点数を減らすことができ、コスト的に有利である。
【００６３】
尚、以上説明した第２実施形態についても、上記第１実施形態に対する各種変形と同様の変形実施が可能である。
【００６４】
＜２：電子機器＞
次に、図１１を参照して、以上に説明した液晶装置を電子機器に適用する場合について説明する。ここでは、本発明に係る電子機器の一例として、上述の液晶装置をライトバルブとして用いたプロジェクタについて説明する。図１１は、このプロジェクタの構成例を示している。
【００６５】
図１１において、プロジェクタ１１００内部には、ハロゲンランプ等の白色光源からなるランプユニット１１０２が設けられている。このランプユニット１１０２から射出された投射光は、ライトガイド内に配置された４枚のミラー１１０６及び２枚のダイクロイックミラー１１０８によってＲＧＢの３原色に分離され、各原色に対応するライトバルブとしての液晶装置１００Ｒ、１００Ｂ及び１００Ｇに入射される。液晶装置１００Ｒ、１００Ｂ及び１００Ｇの構成は上述した液晶装置と同等であり、夫々において画像信号処理回路から供給されるＲ、Ｇ、Ｂの原色信号が変調される。液晶装置１００Ｒ、１００Ｂ及び１００Ｇによって変調された光は、ダイクロイックプリズム１１１２に３方向から入射される。これにより各色の画像が合成され、投射レンズ１１１４を介して、スクリーン１１２０等にカラー画像が投写される。
【００６６】
尚、本発明の電気光学装置は、上述の液晶装置以外に、例えば有機ＥＬ装置、電子ペーパ等の電気泳動装置、電子放出素子を利用した表示装置（Field Emission Display及びSurface-Conduction Electron-Emitter Display）等の各種装置として実現可能である。
【００６７】
また、このような本発明の電気光学装置は、先に説明したプロジェクタ以外にも、テレビジョン受像機や、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等の、各種の電子機器に対して適用可能である。
【００６８】
本発明は、上述した実施形態及び実施例に限られるものではなく、請求の範囲及び明細書全体から読み取れる発明の要旨或いは思想に反しない範囲で適宜変更可能であり、そのような変更を伴う電気光学装置及びこれを備えた電子機器もまた、本発明の技術的範囲に含まれるものである。
【図面の簡単な説明】
【００６９】
【図１】本発明の第１実施形態に係る液晶装置の構成を示す平面図である。
【図２】図１に示した液晶装置のＩ−Ｉ’線における断面図である。
【図３】第１実施形態に係る液晶装置の比較例を示す平面図である。
【図４】第１実施形態に係る液晶装置を収容する実装ケースの構成を示す平面図である。
【図５】第１実施形態に係る液晶装置の変形例を示す平面図である。
【図６】第１実施形態に係る液晶装置の変形例を示す平面図である。
【図７】第１実施形態に係る液晶装置の変形例を示す平面図である。
【図８】第１実施形態に係る液晶装置の変形例を示す平面図である。
【図９】第２実施形態に係る液晶装置の構成を示す平面図である。
【図１０】第２実施形態に係る液晶装置の変形例を示す平面図である。
【図１１】本発明の電子機器の実施形態に係る液晶プロジェクタの構成を表す断面図である。
【符号の説明】
【００７０】
１０…ＴＦＴアレイ基板、９ａ…画素電極、１０ａ…画像表示領域、２０…対向基板、２１…対向電極、５０…液晶層、５２、５２ａ、５２ａａ、５２ａｂ、５２ｂ…シール材、５３…額縁遮光膜、１０１、１０１ａ〜１０１ｃ…データ線駆動回路、１０２、１０２ａ〜１０２ｄ…外部接続端子、１０３ａ、１０３ｂ…配線、１０４…走査線駆動回路、１０５…配線、１０６…上下導通端子、１１０〜１１２…フレキシブルプリント回路（ＦＰＣ）、２００〜２０２…延在部、１５０〜１５３…封止モールド材、Ｌ0、Ｌ11〜Ｌ15、Ｌ21…（延在部の）幅。
【図１】
2006133271.tif 000003
【図２】
2006133271.tif 000004
【図３】
2006133271.tif 000005
【図４】
2006133271.tif 000006
【図５】
2006133271.tif 000007
【図６】
2006133271.tif 000008
【図７】
2006133271.tif 000009
【図８】
2006133271.tif 000010
【図９】
2006133271.tif 000011
【図１０】
2006133271.tif 000012
【図１１】
2006133271.tif 000013